(57)【特許請求の範囲】
【請求項１】
アンダールーフ（５４，５５）の開口から離れて水を案内するためのかつＵ形状の断面の第１輪郭体（１，４）からなる少なくとも１つの細長い溝部材からなっている排水溝において、前記排水溝が、前記Ｕ形状の断面の内部に前記アンダールーフ（５４，５５）を締め付け固定するのに適合させられる少なくとも１つの保持手段（２）からなっていることを特徴とする排水溝。
【請求項２】
前記保持手段（２）がＵ形状の断面からなる第２輪郭体（２）からなっており、前記保持手段（２）が前記溝部材に錠止して係合しかつ錠止係合において、前記アンダールーフ（５４，５５）を保持するようになされており、前記アンダールーフ（５４，５５）が前記溝部材および前記保持手段（２）のそれぞれのＵ−脚部（１１，３１，４１；２１）間に締め付け固定されていることを特徴とする請求項１に記載の排水溝。
【請求項３】
前記保持手段（２）の第１Ｕ−脚部（２１）が異なる厚さのアンダールーフ（５４，５５）の締め付け固定を許容するために弾力の有るかつ柔軟な材料から製造されることを特徴とする請求項２に記載の排水溝。
【請求項４】
前記溝部材の第２Ｕ−脚部（１２，４２）が前記Ｕ形状の内部に面している屈曲または折り曲げ（１２ａ，４２ａ）において終端し、そして前記保持手段（２）の前記第２Ｕ−脚部（２２）が前記屈曲または折り曲げ（１２ａ，４２ａ）の背部でばね係合するように設計されていることを特徴とする請求項１〜３の何れか１項に記載の排水溝。
【請求項５】
前記保持手段（２）の前記第２Ｕ−脚部（２２）が屈曲または折り曲げ（２２ａ）において終端することを特徴とする請求項１〜４の何れか１項に記載の排水溝。
【請求項６】
前記溝部材および前記保持手段（２）の両方において、それぞれの第１Ｕ−脚部（１１；２１，３１，４１）がそれぞれの第２Ｕ−脚部（１２；２２，３２，４２）より長くなっていることを特徴とする請求項１〜５の何れか１項に記載の排水溝。
【請求項７】
前記保持手段（２）の前記第１Ｕ−脚部（２１）および第２Ｕ−脚部が同一の長さからなっていることを特徴とする請求項１〜５の何れか１項に記載の排水溝。
【請求項８】
前記溝部材および／または前記保持手段（２）が滑り止め手段からなっていることを特徴とする請求項１〜７の何れか１項に記載の排水溝。
【請求項９】
前記滑り止め手段が滑り止め材料からなるコーティングからなっていることを特徴とする請求項８に記載の排水溝。
【請求項１０】
前記滑り止め手段が前記溝部材の隆起部からなっていることを特徴とする請求項８に記載の排水溝。
【請求項１１】
前記溝部材が伸縮自在要素を構成しかつそれゆえ、また、Ｕ形状断面の少なくとも１の第３輪郭体（３）からなり、前記輪郭体が長手方向において前記第１輪郭体（４）と移動可能な係合に適合させられていることを特徴とする請求項１〜１０の何れか１項に記載の排水溝。
【請求項１２】
少なくとも２本の垂木およびこれらの垂木の頂部に並べられたアンダールーフからなっている屋根構造に請求項１〜１１の何れか１項に記載の排水溝を取り付けるための排水溝取り付け方法において、前記排水溝が前記少なくとも２本の垂木以外の支持体なしに取り付けられることを特徴とする排水溝取り付け方法。
【発明の詳細な説明】
【０００１】
（技術分野）
本発明は、アンダールーフの開口から離れて水を案内するためのかつ実質上Ｕ形状の断面の第１輪郭体からなる少なくとも１つの細長い溝部材からなっている排水溝に関する。
【０００２】
（発明の背景）
かかる排水溝は、例えば、窓がアンダールーフを備えた屋根構造に取り付けられるとき、使用され得る。
【０００３】
屋根構造に取り付けられるような窓用の空間を作るために、２つの垂木間の水平の当て木が切断されかつ開口が垂木に連結されたアンダールーフに作られている。
【０００４】
溶け出し、貫通する漂雪からの水分またはアンダールーフの上面を流れ下りかつ開口を通って窓に達する他の種類の水分を防止するために、開口から離れた水を開口から離れた完全なアンダールーフへ導くことができる溝を設ける必要がある。
【０００５】
これは、代表的には、窓用の開口が切り出される、下方に位置決めされた長さに重なるような方法において窓の上方のアンダールーフの長さを終端することによって行われる。
【０００６】
最も上方に位置決めされた長さは、その場合に、２本の垂木に沿ってアンダールーフ長さの底縁部に対して実質上垂直に延びている２つのスロットを備えており、垂木の間に窓が位置決めされ、そのようにすると、舌片が、長さがそれぞれの垂木に取着される場所間に設けられる。
【０００７】
溝は取り付けられたアンダールーフの前方にＵ形状に舌片の自由端を屈曲することにより切り出された舌片から現場で成形されることができ、それに続いて自由端が舌片の上方の垂木の間に取り付けられた細長い薄板に取着される。
【０００８】
この溝機能を満足させるために、一方では溝が適宜な傾斜を持たねばならずかつ他方では製造された溝が中間において撓みも或いは崩れもないように細長い薄板に適宜にきっちり固定されねばならないとき、細心の注意が必要とされる。撓みまたは崩れは、とくに、非常に柔軟なアンダールーフにおいて問題である。
【０００９】
代替的に、予め製造された、実質上Ｕ形状の溝が使用されてもよく、前記溝はそれぞれの垂木の間に横方向に適宜な傾斜をもって取り付けられ、Ｕ形状の１本の脚部が舌片がＵ形状において下方で終端するように上方薄膜のスロットを貫通している。
【００１０】
この関連において、柔軟なアンダールーフが撓むかも知れず、水が集まるポケットが溝の後ろに形成されるという問題が存在している。十分な水がポケット内に集まるならば、ポケットは溝からかつ溝の後ろで下方に舌片を引っ張るように重くなるかもしれない。これは、とくに、非常に柔軟なアンダールーフに関連して問題をはらんでいる。
【００１１】
この問題を回避するために、アンダールーフ、溝および当て木双方を貫通する釘等によってアンダールーフを取着することを可能にする、当て木の形状の支持体を溝に備える必要がある。
【００１２】
接着剤テープ等による溝内の舌片の固定は、実際には、一般的な環境のために不可能であり、すなわち、溝は、１つの理由として、例えば、−２０°〜＋７０°の温度変化を受けかつ他の理由として水で充填されるかまたは非常に低い空気湿度に晒されている。
【００１３】
必要な支持体は溝を取り付けるための職人が手に適宜な長さの木片を持つべきであるという問題を呈している。この木片は、代表的には、地面から引き上げられるかまたは地面に取りに行かれ、それは時間がかかる。しばしば、窓用空間を付与するために切り出された当て木の形において支持体に利用し得る木片がある。これらの木片は、しかしながら、２つの垂木間の距離より必ず短くかつしたがって直ぐに使用されることができず、しかも１つの支持体を形成するために接合されねばならず、それはまた時間を消費する。
【００１４】
溝は、さらに、部分的にアンダールーフの固定に鑑みて、部分的にそれ自体支持体に取り付けられることに鑑みて、釘等が貫通し得るように設計されるので、溝は、代表的には、プラスチツクまたは薄いアルミニウムから作られ、そのために自己支持であるように十分に強力ではない。
【００１５】
さらに、排水溝内のアンダールーフの釘止めの結果はアンダールーフが即座に動き得ないということになる。アンダールーフの所望の折り曲げが釘止めの間中発生したならば、その場合に釘は工具の使用によって最初に取り除かれねばならず、折り曲げが平らに矯正されかつアンダールーフは新たに釘止めされる。
【００１６】
本発明の目的は、上述した欠点をこうむらない前文として記述された種類の排水溝を提供することにある。
【００１７】
（発明の開示）
この目的は、アンダールーフを損傷することなく、このアンダールーフを排水溝内に保持し得る少なくとも１つの保持手段からなっていることを特徴とする排水溝によって達成される。
【００１８】
好都合な実施例において、保持手段は実質上Ｕ形状の断面からなる第２輪郭体からなっており、前記保持手段が前記溝部材に錠止して係合しかつアンダールーフを保持するような錠止係合において、前記アンダールーフ前記溝部材および前記保持手段のそれぞれのＵ−脚部間に締め付け固定されている。
【００１９】
これは排水溝内のアンダールーフの固定の簡単かつ容易な実施を可能にしている。
【００２０】
保持手段の第１Ｕ−脚部が異なる厚さのアンダールーフの締め付け固定を許容するために弾力の有るかつ柔軟な材料から製造されるならばとくに好都合である。
【００２１】
溝部材の第２Ｕ−脚部がＵ形状の内部に面している屈曲または折り曲げにおいて終端し、そして前記保持手段の前記第２Ｕ−脚部が前記屈曲または折り曲げの背部でばね係合するように設計されているならばさらに好都合である。
【００２２】
この方法において良好な錠止が溝部材と保持手段との間に得られる。
【００２３】
好都合には、保持手段の第２Ｕ−脚部は、また、屈曲または折り曲げにおいて終端することができる。
【００２４】
これは、例えば、アンダールーフが排水溝内に予定通り位置決めされない場合に、保持手段が挿入および取り外しし易いという利点を提供する。とくに、これは手の指への損傷の危険なしに実現可能である。しかしながら、また、手袋が使用されるとしても即座に実行可能である。
【００２５】
排水溝の好都合な実施例において、それぞれの第１Ｕ−脚部は溝部材および保持手段双方のそれぞれの第２Ｕ−脚部より長くなっている。
【００２６】
この方法において、保持手段を取り付けるのが容易でありかつ同時にかなりの選択の自由が溝部材に対するアンダールーフの位置決めに関して付与される。
【００２７】
排水溝の他の好都合な実施例において、保持手段の２つのＵ−脚部は実質上同一の長さからなっている。
【００２８】
この方法において、対称の、Ｕ形状の断面を備えた保持手段が得られ、そのようにすると、取り付けにおいて保持手段がその機能に影響を及ぼすことなく長手方向に１８０°無差別に回転され得る。
【００２９】
本発明の好都合な実施例において、溝部材は伸縮自在要素を構成しかつそれゆえ、また、実質上Ｕ形状断面の少なくとも１の第３輪郭体からなり、前記輪郭体が長手方向において前記第１輪郭体と長手方向に移動可能な係合に適合させられている。
【００３０】
さらに好都合な実施例において、溝部材および／または保持手段は滑り止め保護からなっている。好都合な実施例によれば、この滑り止め保護は滑り止め材料からなるコーティングからなっており、または他の実施例によれば、溝部材内の隆起部からなっている。
【００３１】
これにより、薄いおよび／または平らな型のアンダールーフがより安全に保持され得るという利点が得られる。
【００３２】
本発明のさらに他の目的は、少なくとも取り付けられた保持手段の場合において、少なくとも２本の垂木およびこれらの垂木の頂部に、前記排水溝のそれぞれの端部での基礎となる垂木以外の支持体なしに並べられたアンダールーフからなっている屋根構造に取り付けられ得る剛性を有していることを特徴とする排水溝の使用を指示することにある。
【００３３】
これにより、取り付けに必要さされる時間の減少が上述した従来技術に対して得られる。
【００３４】
本発明を、具体的な例によってかつ概略図面を参照して以下において詳細に説明する。
【００３５】
（発明の実施の形態）
図１には、本発明による排水溝の伸縮自在な実施例が斜視図で示されている。伸縮自在な排水溝は２つの実質上Ｕ形状の、細長い輪郭体３および４、以下で、それぞれ第３および第１輪郭体と呼ばれる、からなっており、それらは相対的に長手方向に移動可能であるように設計されている。２つの輪郭体３および４の相対的な移動によって、排水溝の全体の長さはそのための工具の使用なしに付与された取り付け状態に適合させられ得る。これは、実際には、長さが、排水溝を取り付けるように望まれる、２本の垂木間の距離に適合させられ得ることを意味している。
【００３６】
好ましくは、Ｕ形状の脚部３１，４１、垂木に当接する、以下で最も後方のＵ−脚部と呼ばれる、Ｕ形状の脚部３１，４１は、これらが垂木から離れて向かい合っているＵ−脚部３２，４２より長い方法において設計され、前記Ｕ−脚部３２，４２は以下で最も前方のＵ−脚部と呼ばれている。これは最も後方のＵ−脚部３１，４１を介して、例えば、釘の使用による溝の取り付けを容易にする。さらに、アンダールーフ内に切り出された舌片の溝内の配置は、舌片が比較的長い、最も後方のＵ−脚部の頂部に載置するので容易にされ、そして保持手段２が取り付けられるまで指によって容易に保持され得る。比較的長いＵ−脚部は、さらに、舌片が１側で十分に離れて到達せず、かつ他側で余りにも長すぎる危険なしに斜めに必ず取り付けられる、排水溝内のその通常水平に切られた下方端を有する舌片の配置を容易にする。
【００３７】
保持手段２は図２に斜視図で示されている。保持手段２は、適宜な柔軟な材料から作られる、以下で第２輪郭体と呼ばれる、細長い、実質上Ｕ形状の輪郭体からなっており、そのようにすると、Ｕ形状の２本の脚部は弾力性がある。保持手段の取り付けは輪郭体３，４のＵ形状に保持手段を押し下げることによって実施され、それにより保持手段のＵ−脚部は溝部材の最も後方のかつ最も前方のＵ−脚部において弾力的な当接になる。しかしながら、留意されるべきことは、最も後方のＵ−脚部での弾力的な当接が通常、直接的てなく、固定される筈である中間のアンダールーフを介してであるということである。以下で、保持手段用のＵ−脚部は、それらが当接する輪郭体３，４のＵ−脚部に応じて最も前方および最も後方と呼ばれる。
【００３８】
図３から見られるように、保持手段２および第１輪郭体４の両方は輪郭体３，４内に保持手段２を固定するためにそれぞれの錠止手段２２ｂ，４２ａを備えている。
【００３９】
示された実施例において、第１輪郭体４の錠止手段はＵ形状の内部に対して最も前方のＵ−脚部の屈曲または折り曲げ４２ａからなっている。対応して、保持手段の最も前方のＵ−脚部は、適宜な丸み付けを備えた区域２２ｂが屈曲または折り曲げ４２ａの後ろで弾力的に締め付け固定するために設けられるようにＵ形状に向かって内方に屈曲されている。丸み付け後、保持手段２の最も前方のＵ−脚部２２は、それがＵ−脚部の全体的な方向に実質上延びるように、半体方向に屈曲されている。
【００４０】
好ましくは、保持手段の最も前方のＵ−脚部２２は、これが輪郭体の上方に突出するように、輪郭体の最も前方のＵ−脚部３２，４２より長い。これは、再び、工具の使用なしに保持手段２の取り外しを可能にする。これは、係合が緩められるように、Ｕ形状に内方に向かって保持手段の最も前方のＵ−脚部２２を押圧することによってなされる。手袋の使用によっても同様に、この押し込みを可能にする良好な指把持を保証するために、保持手段の最も前方のＵ−脚部２２は滑らかな屈曲または折り曲げ２２ａにおいて終端する。この屈曲は、上述された手袋の使用が排水溝の取り扱いによってでなく、その代わりに、例えば、天候のような他の要因によって必要とされるように鋭い縁部を残している。
【００４１】
伸縮自在の実施例において、錠止手段を設けることに加えて第１輪郭体４の最も前方のＵ−脚部４２の屈曲または折り曲げ４２ａが、また、相互の移動が輪郭体の長手方向においてのみ行われ得るように、第３輪郭体３の最も前方のＵ−脚部３２との係合を設けるならば好都合である。同一の方法において、第３輪郭体３の最も後方のＵ−脚部３１は第１輪郭体４の最も後方のＵ−脚部４１との係合のために屈曲または折り曲げ３１ａを有することができる。しかしながら、留意されるべきことは、この屈曲または折り曲げ３１ａはＵ形状の内部から離れて向かい合うことができるということである。
【００４２】
２つの輪郭体３，４が相対的に逆に移動されないように摩擦を設けるために、第１輪郭体の最も後方のＵ−脚部４１は上方端において僅かな屈曲４１ａを備え、そのようにすると、Ｕ−脚部の上方縁部は屈曲３１ａ内で第３の輪郭体の最も後方のＵ−脚部３１の裏側に対して押圧される。
【００４３】
図４および図５には、伸縮自在でない排水溝が示され、その溝は、原則として、図１および図３による伸縮自在な実施例における第１輪郭体４と全く同様に設計されることができる。同様に、また、示された保持手段２は図２および図３に示された保持手段と同一である。
【００４４】
さらに、図４および図５において、保持手段２が、これが異なる厚さのアンダールーフ５４，５５を固定し得るような方法において設計されることが示されている。
【００４５】
図４において、締め付け固定されたアンダールーフ５４は、例えば、ほぼ１〜２ｍｍの厚さを有する柔軟なアンダールーフ薄膜であり、これに反して図５において、それは、例えば、５ｍｍの厚さを有する堅固なアンダールーフシート５５である。
【００４６】
異なる厚さおよび特性を有する種々の型のアンダールーフのこの固定を可能にするために、保持手段２の最も後方のＵ−脚部２１は、このＵ−脚部２１のほぼ半分で鋭い屈曲を備え、そのようにすると、上方端が、保持手段が取り付けられたとき、順次、排水溝の最も後方のＵ−脚部１１に対して押圧される、アンダールーフ５４，５５に対して押圧される。比較的長い、最も後方のＵ−脚部２１の上方端での固定は、斜めに取り付けられた溝内に水平に切断された舌片を位置決めすることに関して上述した問題を改善するのに寄与する。
【００４７】
代替の実施例において、保持手段２は、実質上対称のＵ形状の断面を備える、すなわち、最も前方のＵ−脚部２２が最も後方のＵ−脚部２１の鏡像であるように設計され得る。この方法において、保持手段２はその固定機能にどのような影響もなしに長手方向に自由に回転され得る。
【００４８】
極めて薄いアンダールーフ薄膜、例えば、０．１〜０．５ｍｍの厚さを有するタイベック（ＴＹＶＥＫ（商標））型の箔が使用される場合に、アンダールーフは、これがそのＵ形状を生じるように溝部材内に置かれることもできる。
【００４９】
この方法において、Ｕ形状の保持手段はＵ形状の溝部材内に押し下げられることができ、アンダールーフはそれによって最も前方のＵ−脚部と最も後方のＵ−脚部との間に両方で締め付け固定されている。この方法において、アンダールーフの最適な固定が保証される。
【００５０】
とくに薄い箔の場合の、箔の最適な固定を保証するような補完的なまたは代替の方法として、排水溝の細長い溝部材または保持手段２は滑り止め手段を備えることも可能である。これらの滑り止め手段は、例えば、溝部材の内向き面の少なくとも１部分上のまたは保持手段２の外向き面の少なくとも１部分上の摩擦コーティングであってもよい。滑り止め手段の設計の他の例は、好ましくは、小さい突起または凹みの形の、溝部材の隆起である。
【００５１】
示された実施例において、輪郭体１，３，４は１ｍｍの屈曲されたアルミニウム、または０．５ｍｍ〜０．７ｍｍのばね鋼またはメッキされた鋼から作られる。これらの材料厚さは排水溝を自己支持および同様に移動可能にするのに十分である。これによって、排水溝が取り付けられた屋根構造上の作業の間中、排水溝は、作業者が落下する危険なしに踏まれ得ることが意味される。
【００５２】
示された実施例による保持手段は、大きさに関して、輪郭体の最も短い長さに対応する長さ、すなわち、輪郭体が互いに完全に伸縮自在にされたときの伸縮自在な実施例の溝部材の輪郭体の長さを有している。保持手段は、好ましくは、溝部材の厚さに対応する厚さを有する屈曲されたアルミニウム、ばね鋼またはメッキされた鋼から作られそして取り付けられるとき、さらに排水溝の強度に寄与する。当該の垂木の距離かつしたがって排水溝の長さに適合させられた大きさを備えた保持手段が、もちろん、また、使用され得る。
【００５３】
排水溝の強度が重要でない場合において、より短い長さの幾つかの保持手段が、１つの長く、細長い保持手段に代えて使用され得る。とくに、最も後方のＵ−脚部の高さより短い長さを有する保持手段について問題があるかも知れない。実際には、それらは、したがって、クリップと同様である。代替的に、保持手段はこの場合に図６に示されるようなばねクリップとして設計され得る。
【図面の簡単な説明】
【図１】  固定部材が取り付けられることがない、本発明による排水溝の伸縮自在な実施例を示す斜視図である。
【図２】  本発明による保持手段を示す斜視図である。
【図３】  図２による保持手段を備えた図１に記載の伸縮自在な排水溝を示す断面図である。
【図４】  取り付けられた保持手段および保持されたアンダールーフを備えた、本発明による排水溝の他の実施例を示す断面図である。
【図５】  取り付けられた保持手段、しかもより厚いアンダールーフを備えた、図４による排水溝を示す断面図である。
【図６】  保持手段の代替の実施例を示す図である。
【図１】
0004290342.tif 000002
【図２】
0004290342.tif 000003
【図３】
0004290342.tif 000004
【図４】
0004290342.tif 000005
【図５】
0004290342.tif 000006
【図６】
0004290342.tif 000007